(57)【特許請求の範囲】
【請求項１】
ドアの閉成により前記ドアのフックが係合することで摺動移動する摺動部材と、前記摺動部材が移動したとき接点を閉じるスイッチ手段と、移動した前記摺動部材の位置を保持する保持手段と、前記保持手段を移動させる駆動手段と、前記保持手段を係止して前記保持手段の位置を固定する係止手段と、前記係止手段の係止を手動で解除する解除手段とを備え、前記係止手段は、ハート形カムとばねとで構成され、前記ハート形カム内を摺動するピンを設け、前記スイッチ手段が接点を閉じた状態で前記駆動手段へ通電が行われたとき、前記保持手段が移動して前記摺動部材を保持し、その後、前記駆動手段への通電が遮断されたとき、前記係止手段は、前記ばねにより押されて前記ピンが前記ハートカムの所定の位置に移動することで、前記保持手段が前記摺動部材を保持する位置に、前記保持手段を係止するようにし、前記係止手段が前記保持手段を係止した状態で、前記駆動手段へ通電が行われたとき、前記保持手段が移動することで前記ピンが前記ハートカムの前記所定の位置から移動して前記係止手段による保持手段の係止が外れるようにし、かつ、前記係止手段が前記保持手段を係止した状態で、前記解除手段が所定の方向へ押されたとき、前記ハートカムが回転することで前記ピンが前記ハートカムの前記所定の位置から移動し前記係止手段の係止が外れるようにしたドアスイッチ装置。
【請求項２】
摺動部材の摺動移動を受けて回転する操作部材を有し、この操作部材によってスイッチ手段の接点の開閉を制御する請求項１記載のドアスイッチ装置。
【請求項３】
保持手段が摺動部材を保持していることを検知し出力する位置検出手段を有する請求項１または２に記載のドアスイッチ装置。
【発明の詳細な説明】
【０００１】
【発明の属する技術分野】
本発明は、ドアを開閉自在に設けたドラム式洗濯乾燥機などのドアスイッチ装置に関するものである。
【０００２】
【従来の技術】
従来、この種のドアスイッチ装置を備えたドラム式洗濯乾燥機は図７および図８に示すように構成していた。以下、その構成について説明する。
【０００３】
図７に示すように、回転ドラム１は、外周部に多数の通水孔２を全面に設け、外槽３内に回転自在に配設している。回転ドラム１の回転中心に回転軸４の一端を固定し、回転軸４の他端にドラムプーリー５を固定している。モータ６は、ベルト７によりドラムプーリー５と連結し、回転ドラム１を回転駆動する。機器本体８の開口部にドア９を開閉自在に設けている。
【０００４】
外槽３は、機器本体８よりばね体１０で吊り下げ、防振ダンパー１１により脱水時の振動が機器本体８に伝達されないように防振支持するとともに、脱水時の振動を低減する重り１２を設けている。ヒータ１３は、外槽３内の洗濯水を加熱するものである。制御手段１４は、モータ６、ヒータ１３、熱風供給手段（図示せず）などの動作を制御し、入力設定手段（図示せず）により異なる洗い時間、すすぎ回数、脱水時間を有する「標準コース」、「スピーディー」コース、「毛布」コース、「ウール」コースなどの洗濯行程と、乾燥行程とを設定可能とし、設定したコースを逐次制御する。
【０００５】
ドア９を閉状態に保持するロック装置（ドアスイッチ装置）１５は、図８に示すように、ドア９のフックの爪部（図示せず）が挿入されたとき、右に移動する爪挿入板１６と、この爪部を爪挿入板１６とともにロックするロック用ピン１７と、爪挿入板１６をドア開時に左に押し戻すばね１８と、ロック用ピン１７に接続されたドア可動接点１９と、このドア可動接点１９と対をなし、モータ６、ヒータ１３等の負荷に直列に接続されるドア固定接点２０と、ドア可動接点１９とわずかな距離を隔ててロック用ピン１７に接続されたバイメタル２１と、このバイメタル２１に接続しこれを加熱するセラミックヒータ２２とで構成されている。なお、セラミックヒータ２２は制御手段１４でドア可動接点１９、固定接点２０を介さずに制御される。
【０００６】
上記構成において動作を説明すると、ドア９を開いて回転ドラム１内に洗濯物を投入し、ドア９を閉じ、スタート・一時停止スイッチ（図示せず）を押して運転を開始すると、制御手段１４はセラミックヒータ２２に通電し、バイメタル２１を加熱する。この数分経過後、加熱されたバイメタル２１はその温度変位特性から接続されたロック用ピン１７を上方に押し上げ、これにより爪挿入板１６およびドア９のフックの爪部がロックされる。
【０００７】
同時に、ロック用ピン１７に接続されたドア可動接点１９が上方に押し出され、ドア固定接点２０に接続する。これによりこの接点に直列に接続されたモータ６、ヒータ１３等の負荷に通電され、一連の洗い、すすぎ、脱水、乾燥運転が開始される。運転中はセラミックヒータ２２には常時通電しているので、バイメタル２１は加熱されたままである。したがって、ドア９はロック状態を保持される。
【０００８】
予め設定された洗い、乾燥行程等がすべて終了すると、制御手段１４はセラミックヒータ２２の通電を遮断し、バイメタル２１は自然冷却される。この数分経過後、冷却されたバイメタル２１はその温度変位特性から接続されたロック用ピン１７を下方に押し戻し、これにより爪挿入板１６およびドア９のフックの爪部のロックが解除される。
【０００９】
同時に、ロック用ピン１７に接続されたドア可動接点１９が下方に押し戻され、ドア可動接点１９とドア固定接点２０が開放する。これによりこの接点に直列に接続されたモータ６、ヒータ１３等の負荷の通電は遮断される。ここに至って、ドア９のロックが解除され、洗濯物を取り出すことが可能になる。
【００１０】
【発明が解決しようとする課題】
このような従来の構成では、スタート・一時停止スイッチを押し、運転を開始させても、ロック装置１５のバイメタル２１が加熱されドアがロックし、同時にドア可動接点１９とドア固定接点２０が閉じ、実際にモータ６、ヒータ１３等の駆動が開始するまで数分要していた。また同様に、運転が終了した場合でも、セラミックヒータ２２への通電を遮断しバイメタル２１が自然冷却されドアのロックが解除され、ドア可動接点１９が開くまで数分要するという問題を有していた。また、同様の理由で運転開始時にロック装置１５が故障状態でも数分経過しないと判断できず、使用者への報知が遅れるという問題も有していた。
【００１１】
また、運転の途中で停電が生じたり、使用者がドラム式洗濯乾燥機の電源をオフにすると、ドラム内に洗濯水と洗濯物とが入ったままロックが解除されるため、使用者が誤ってドアを開けると洗濯水や濡れた洗濯物が床に落ちて床を濡らすという課題もあった。
【００１２】
本発明は上記従来の課題を解決するもので、ドアをロックし、運転動作を開始するまでの時間を短時間（１〜３秒）に短縮し、かつ、確実にロックし、また、一連の洗い、すすぎ、脱水、乾燥運転がすべて終了してから、ドアのロックを解除しドアを開放可能にするまでの時間を短時間（１〜３秒）に短縮することができ、さらに通電が遮断された状態でドアをロックするため、運転の途中で停電などで電源が遮断されても、ドアのロックを保持することができるとともに、制御装置の故障などで駆動手段が動作しなくなった場合でも保持手段を解除することができることを目的としている。
【００１３】
【課題を解決するための手段】
本発明におけるドアスイッチ装置は、上記目的を達成するために、ドアの閉成により前記ドアのフックが係合することで摺動移動する摺動部材と、前記摺動部材が移動したとき接点を閉じるスイッチ手段と、移動した前記摺動部材の位置を保持する保持手段と、前記保持手段を移動させる駆動手段と、前記保持手段を係止して前記保持手段の位置を固定する係止手段と、前記係止手段の係止を手動で解除する解除手段とを備え、前記係止手段は、ハート形カムとばねとで構成され、前記ハート形カム内を摺動するピンを設け、前記スイッチ手段が接点を閉じた状態で前記駆動手段へ通電が行われたとき、前記保持手段が移動して前記摺動部材を保持し、その後、前記駆動手段への通電が遮断されたとき、前記係止手段は、前記ばねにより押されて前記ピンが前記ハートカムの所定の位置に移動することで、前記保持手段が前記摺動部材を保持する位置に、前記保持手段を係止するようにし、前記係止手段が前記保持手段を係止した状態で、前記駆動手段へ通電が行われたとき、前記保持手段が移動することで前記ピンが前記ハートカムの前記所定の位置から移動して前記係止手段による保持手段の係止が外れるようにし、かつ、前記係止手段が前記保持手段を係止した状態で、前記解除手段が所定の方向へ押されたとき、前記ハートカムが回転することで前記ピンが前記ハートカムの前記所定の位置から移動し前記係止手段の係止が外れるようにしたものである。
【００１４】
これにより、ドアをロックし、運転動作を開始するまでの時間を短時間（１〜３秒）に短縮して確実にロックすることができ、また、一連の洗い、すすぎ、脱水、乾燥運転がすべて終了してから、ドアのロックを解除しドアを開放可能にするまでの時間を短時間（１〜３秒）に短縮することができる。さらに、通電が遮断された状態でドアをロックするため、運転の途中で停電などで電源が遮断されても、ドアのロックを保持することができるとともに、制御装置の故障などで駆動手段が動作しなくなった場合でも保持手段を解除することができる。
【００１５】
【発明の実施の形態】
本発明の請求項１に記載の発明は、上記目的を達成するために、ドアスイッチ装置は、ドアの閉成により前記ドアのフックが係合することで摺動移動する摺動部材と、前記摺動部材が移動したとき接点を閉じるスイッチ手段と、移動した前記摺動部材の位置を保持する保持手段と、前記保持手段を移動させる駆動手段と、前記保持手段を係止して前記保持手段の位置を固定する係止手段と、前記係止手段の係止を手動で解除する解除手段とを備え、前記係止手段は、ハート形カムとばねとで構成され、前記ハート形カム内を摺動するピンを設け、前記スイッチ手段が接点を閉じた状態で前記駆動手段へ通電が行われたとき、前記保持手段が移動して前記摺動部材を保持し、その後、前記駆動手段への通電が遮断されたとき、前記係止手段は、前記ばねにより押されて前記ピンが前記ハートカムの所定の位置に移動することで、前記保持手段が前記摺動部材を保持する位置に、前記保持手段を係止するようにし、前記係止手段が前記保持手段を係止した状態で、前記駆動手段へ通電が行われたとき、前記保持手段が移動することで前記ピンが前記ハートカムの前記所定の位置から移動して前記係止手段による保持手段の係止が外れるようにし、かつ、前記係止手段が前記保持手段を係止した状態で、前記解除手段が所定の方向へ押されたとき、前記ハートカムが回転することで前記ピンが前記ハートカムの前記所定の位置から移動し前記係止手段の係止が外れるようにしたものであり、短時間（１〜３秒）でかつ、確実にロックおよび解除することができ、一連の洗い、すすぎ、脱水、乾燥運転がすべて終了してから、ドアのロックを解除し、ドアを開放可能にするまでの時間を短時間（１〜３秒）に短縮することができ、かつ、確実にロックを解除し、また、通電が遮断された状態でドアをロックするため、運転の途中で停電などで電源が遮断されても、ドアのロックを保持することができるとともに、制御装置の故障などで駆動手段が動作しなくなった場合でも保持手段を解除することができる。
【００１６】
請求項２に記載の発明は、上記請求項１に記載の発明において、摺動部材の摺動移動を受けて回転する操作部材を有し、この操作部材によってスイッチ手段の接点の開閉を制御するものであり、操作部材が回転運動でスイッチ手段を開閉することで、ワイピング効果をもたせスイッチ手段の溶着を防止することができ、また接触抵抗が大きくなるのを防ぐことができる。
【００１７】
請求項３に記載の発明は、上記請求項１または２に記載の発明において、保持手段が摺動部材を保持していることを検知し出力する位置検出手段を有するものであり、保持されたことを確認して、はじめてモータを回転させるなどして、安全な運転を行うことができ、同時に、ロック装置が故障している場合は、故障を短時間（１〜３秒）で確実に検出して使用者に知らせることができる。
【００１８】
【実施例】
以下、本発明の一実施例について、図面を参照しながら説明する。なお、従来例と同じ構成のものは同一符号を付して説明を省略する。
【００１９】
図２に示すように、ドア９は、機器本体８の開口部を開閉自在に設け、フック２３をドア開閉レバー２４を介して矢印Ａ方向に移動自在に装着し、このフック２３を機器本体８に設けたドアスイッチ２５にてドア９を閉状態にロックできるようにしている。
【００２０】
ドアスイッチ２５は、図１に示すように構成しており、摺動部材２６は、ばね２７により左右方向に移動自在としており、ドア９の閉成によりドア９のフック２３が係合することで摺動移動する。この摺動部材２６の移動により、操作部材２８を回転させて、スイッチ手段２９を閉じるように構成している。スイッチ手段２９は、ソレノイド（駆動手段）３０およびモータ６などの負荷に接続している。ソレノイド３０に保持手段３１を連結し、保持手段３１の一部が摺動部材２６の一部と嵌合し、摺動部材２６が係止されてドア９を閉状態にロックするようにしている。
【００２１】
係止手段３２は、保持手段３１の位置を係止してドア９をロック状態またはロック解除状態に保持するもので、図６の示すようなハート形カム３３とばね３４とで構成し、ソレノイド３０の通電を遮断してもハート形カム３３の働きで保持手段３１その位置に係止し、再度、ソレノイド３０に通電すると保持手段３１の係止位置を変更して、保持手段３１の一部と摺動部材２６の一部との嵌合が外れてロックがかからないように構成している。
【００２２】
マイクロスイッチ（位置検出手段）３５は、フック２３を外れない状態に保持する保持手段３１の保持状態を検知し、保持されていることを出力するものである。手動解除板（解除手段）３６は、フック２３が外れない状態に摺動部材２６を保持した保持手段３１を手動で解除するものである。なお、操作部材２８は熱可塑性樹脂材料で形成し、スイッチ手段２９の接点部材を保持するベース３７は熱硬化性樹脂材料形成している。
【００２３】
上記構成において図３から図６を参照しながら動作を説明する。
【００２４】
図３は、ドア９のフック２３がドアスイッチ２５に入っていない状態を示しており、摺動部材２６は操作部材２７をＤ方向に押していない。このため、スイッチ手段２９は開いたままである。この状態では、摺動部材２６の一部と保持手段３１の一部とはＦ部で当たって、保持手段３１はＥ方向には移動できない。
【００２５】
ドア９を閉じると、フック２３がばね２７のばね力に抗して摺動部材２６を図のＤ方向に押しながら入り、フック２３の爪部２３ａがある位置より奥に入ると、摺動部材２６はＤ方向に摺動し、図４に示すように、操作部材２８を押す。
【００２６】
操作部材２８は、摺動部材２６からの摺動移動を受けて回転し、スイッチ手段２９を閉じる。この状態では、まだソレノイド３０に通電していないので、保持手段３１はＥ方向に移動していない。すなわち、ロック解除状態であり、ドア９の開閉レバー２４を操作してフック２３をドアスイッチ２５から抜くと、摺動部材２６はＤの逆方向に摺動し、図３の状態に戻る。
【００２７】
図４の状態で、ソレノイド３０に通電して駆動すると、保持手段３１がＥ方向に引かれ、図５に示すように、保持手段３１の一部が摺動部材２６の一部と嵌合し摺動部材２６が係止されてドア９を閉状態にロックする。このとき、保持手段３１は、Ｈ部でマイクロスイッチ３５の操作部を押し、マイクロスイッチ３５の接点は閉状態となる。このマイクロスイッチ３５の状態変化を制御装置１４で入力して、ドアスイッチ２５がロック状態になっていることを検知することができる。
【００２８】
この後、ソレノイド３０への通電を遮断すると、保持手段３１はばね３４に押され、ハート形カム３３によりＥ方向に保持されたままとなる。このとき、マイクロスイッチ３５の操作部はＨ部で保持手段３１に押されたままである。また、摺動部材２６は、保持手段３１にＧ部で嵌合され、摺動部材２６はＤ方向に摺動したままとなり、Ｄ方向の逆方向へは摺動できなくなる。すなわち、フック２３の爪部２３ａは摺動部材２６によってロックされ、ドア９の開閉レバー２４を操作してもフック２３はドアスイッチ２５から抜けなくなり、ドア９は開くことができなくなる。
【００２９】
図５の状態で、ソレノイド３０に再び通電すると、保持手段３１は、再びＥ方向に引かれ、その後ソレノイド３０の通電を遮断すると保持手段３１はばね３４に押されてＥと逆方向に押され、図４の状態に移行する。このとき、摺動部材２６と保持手段３１とのＧ部での嵌合はないので、フック２３を引き抜くことで摺動部材２６はばね２７に押されてＤと逆方向に摺動し、図３の状態に戻る。
【００３０】
つぎに、保持手段３１の位置を係止してドア９をロック状態またはロック解除状態に保持するハート形カム３３の動作について、図６を参照しながら説明する。
【００３１】
図６（ａ）は、図３および図４の状態でのハート形カム３３と保持手段３１とハート形カムに摺動するピン３８を示す。このとき、ピン３８は、ハート形カム３３のＪ部に位置している。図６（ｂ）は、図５の状態でのハート形カム３３と保持手段３１とハート形カム３３に摺動するピン３８を示す。このとき、ピン３８は、ハート形カム３３内で摺動してＫ部に位置し、保持手段３１がＥ方向に保持されている。
【００３２】
図６（ｃ）は、再びソレノイド３０に通電して保持手段３１がＥと逆方向に動作し、図４の状態に戻ったときのハート形カム３３と保持手段３１とハート形カム３３に摺動するピン３８の状態を示す。このとき、ピン３８は、ハート形カム３３内で摺動してＬ部に位置している。
【００３３】
図６（ｄ）は、図６（ｂ）の状態で、手動解除板３６をＭ方向に動作させたとき、ハート形カム３３はＮを支点としてＰ方向に回転し、ピン３８はＫの位置からＬの位置に移動し、保持手段３１はＥと逆方向に移動してロックが解除される。
【００３４】
このようにドア９の開閉およびロックが確実に行うことができる。また、スイッチ手段２９の接点部材を保持するベース３７を熱硬化性樹脂材料で形成し、操作部材２８を熱可塑性樹脂材料で形成することで、スイッチ手段２９の異常発熱時に、操作部材２８が溶融し、スイッチ手段２９が開状態になり動作を停止させることができる。
【００３５】
【発明の効果】
以上のように本発明の請求項１に記載の発明によれば、ドアスイッチ装置は、ドアの閉成により前記ドアのフックが係合することで摺動移動する摺動部材と、前記摺動部材が移動したとき接点を閉じるスイッチ手段と、移動した前記摺動部材の位置を保持する保持手段と、前記保持手段を移動させる駆動手段と、前記保持手段を係止して前記保持手段の位置を固定する係止手段と、前記係止手段の係止を手動で解除する解除手段とを備え、前記係止手段は、ハート形カムとばねとで構成され、前記ハート形カム内を摺動するピンを設け、前記スイッチ手段が接点を閉じた状態で前記駆動手段へ通電が行われたとき、前記保持手段が移動して前記摺動部材を保持し、その後、前記駆動手段への通電が遮断されたとき、前記係止手段は、前記ばねにより押されて前記ピンが前記ハートカムの所定の位置に移動することで、前記保持手段が前記摺動部材を保持する位置に、前記保持手段を係止するようにし、前記係止手段が前記保持手段を係止した状態で、前記駆動手段へ通電が行われたとき、前記保持手段が移動することで前記ピンが前記ハートカムの前記所定の位置から移動して前記係止手段による保持手段の係止が外れるようにし、かつ、前記係止手段が前記保持手段を係止した状態で、前記解除手段が所定の方向へ押されたとき、前記ハートカムが回転することで前記ピンが前記ハートカムの前記所定の位置から移動し前記係止手段の係止が外れるようにしたから、短時間（１〜３秒）でかつ、確実にロックおよび解除することができ、また、通電が遮断された状態でドアをロックするため、運転の途中で停電などで電源が遮断されても、ドアのロックを保持することができるとともに、制御装置の故障などで駆動手段が動作しなくなった場合でも保持手段を解除することができる。
【００３６】
また、請求項２に記載の発明によれば、摺動部材の摺動移動を受けて回転する操作部材を有し、この操作部材によってスイッチ手段の接点の開閉を制御するようにしたから、操作部材が回転運動でスイッチ手段を開閉することで、ワイピング効果をもたせスイッチ手段の溶着を防止することができ、また接触抵抗が大きくなるのを防ぐことができる。
【００３７】
また、請求項３に記載の発明によれば、保持手段が摺動部材を保持していることを検知し出力する位置検出手段を有するから、保持されたことを確認して、はじめてモータを回転させるなどして、安全な運転を行うことができる。
【図面の簡単な説明】
【図１】  （ａ）本発明の一実施例のドアスイッチ装置の正面図
（ｂ）同ドアスイッチ装置の側断面図
【図２】  同ドアスイッチ装置とドアとの関係を示す一部切欠して斜視図
【図３】  同ドアスイッチ装置のドアのフックが入っていないときの分解斜視図
【図４】  同ドアスイッチ装置のドアのフックが入ったときの分解斜視図
【図５】  同ドアスイッチ装置のドアのフックが入りロックされているときの分解斜視図
【図６】  （ａ）同ドアスイッチ装置のハート形カム部のドアをロックしていないときの分解斜視図
（ｂ）同ドアスイッチ装置のハート形カム部のドアをロックしているときの分解斜視図
（ｃ）同ドアスイッチ装置のハート形カム部のドアをロック解除したときの分解斜視図
（ｄ）同ドアスイッチ装置のハート形カム部の手動でドアをロック解除したときの分解斜視図
【図７】  従来のドアスイッチ装置を備えたドラム式洗濯乾燥機の断面図
【図８】  同ドアスイッチ装置の断面図
【符号の説明】
９  ドア
２３  フック
２６  摺動部材
２９  スイッチ手段
３０  ソレノイド（駆動手段）
３１  保持手段
【図１】
0003918222.tif 000002
【図２】
0003918222.tif 000003
【図３】
0003918222.tif 000004
【図４】
0003918222.tif 000005
【図５】
0003918222.tif 000006
【図６】
0003918222.tif 000007
【図７】
0003918222.tif 000008
【図８】
0003918222.tif 000009